(57)【要約】【課題】  上下方向に積み重ねられているベッドとデスクにおいて、ベッドとデスクの上下位置を少なくとも２通り設定することができるベッドーデスクコンビネーションを提供する。【解決手段】  長さと幅が等しいベッドユニット１１とデスクユニット１３とにおいて、ベッドユニット１１のベッド脚をなす４本の縦部材の上下面に穴部を形成し、それらの穴部に対応するデスクユニット１３のデスク脚をなす４本の縦部材の上下面の穴部とを棒材で連結することによりベッドユニット１１とデスクユニット１３とを上下に連結する。【選択図】  図１
2005124742.tif 000002
【特許請求の範囲】
【請求項１】
長さと幅が等しいベッドユニットとデスクユニットとを上下に連結してなるベッドーデスクコンビネーションであって、
該ベッドユニットとデスクユニットの上下連結を組み換え機構とすることにより、
該ベッドユニットとデスクユニットの上下位置を少なくとも２通り設定できることを特徴とするベッドーデスクコンビネーション。
【請求項２】
前記組み換え機構は、前記ベッドユニットとデスクユニットの上下端部に設けられた連結手段を備えることを特徴とする、請求項１記載のベッドーデスクコンビネーション。
【請求項３】
幅方向及び長さ方向に互いに隔てられて立設され、ベッド脚をなす４本の第１縦部材と、
幅方向に隔てられた前記第１縦部材同士を連結する第１横部材と、
長さ方向に隔てられた前記第１縦部材同士を連結する第１側部材と、
前記第１横部材と前記第１縦部材とで囲まれる四辺形の面内に設けられる床部材と、
を有するベッドユニットと、
幅方向及び長さ方向に互いに隔てられて立設され、デスク脚をなす４本の第２縦部材と、
幅方向に隔てられた前記第２縦部材同士を連結する部材であって、前記第１横部材と同じ長さを有する第２横部材と、
長さ方向に隔てられた前記第２縦部材同士を連結する少なくとも１つの部材であって、前記第１側部材と同じ長さを有する第２側部材と、
前記第２縦部材の端部同士で形成される四辺形の面内に設けられる天板と、
を有するデスクユニットと、
該ベッドユニットの前記第１縦部材と該デスクユニットの前記第２縦部材の上下端部を組み替え可能に連結する連結手段を備えたことを特徴とするベッドーデスクコンビネーション。
【請求項４】
前記連結手段は、前記第１縦部材及び前記第２縦部材の各上下端面に設けられた穴部と該穴部に嵌入するための棒材とから構成されることを特徴とする、請求項３記載のベッドーデスクコンビネーション。
【請求項５】
前記ベッドユニットに、前記ベッドユニットへの乗降用の梯子が取り付けられていることを特徴とする、請求項１又は３記載のベッドーデスクコンビネーション。
【請求項６】
前記梯子が、折り畳み式であることを特徴とする、請求項５記載のベッドーデスクコンビネーション。
【請求項７】
前記デスクユニットの前記天板の下側に、物品の収納手段を設置することができるように前記デスクユニットには該収納手段を取り付けるための取り付け手段を備えていることを特徴とする、請求項１又は３記載のベッドーデスクコンビネーション。
【請求項８】
前記ベッドユニットが前記デスクユニットの上に連結される場合、前記収納手段を前記ベッドユニットの前記床部材の下側に設置することができるように前記ベッドユニットには前記収納手段を取り付けるための取り付け手段を備えていることを特徴とする、請求項７記載のベッドーデスクコンビネーション。
【請求項９】
前記デスクユニットが前記ベッドユニットの上に連結される場合、前記ベッドユニットの前記床部材の下側に部屋を形成するための壁を設置することができるように前記ベッドユニットには前記壁を取り付けるための壁取り付け手段を備えていることを特徴とする、請求項１又は３記載のベッドーデスクコンビネーション。
【発明の詳細な説明】
【技術分野】
【０００１】
本発明は、ベッドとデスクが組み合わされたベッドーデスクコンビネーションに関する。
【背景技術】
【０００２】
従来より、限られたスペースを有効に利用するという観点から、ベッドやデスクのような家具を上下方向に積み重ねて使用することが一般に行われている。例えば、下記特許文献ではベッドの長さと幅の大きさを有する床面スペースを床から天井高さまで利用して、床に近い方にデスクを設け、そのデスクの上方にベッドを設けた例が示されている。
【特許文献１】特開２００２−２０９６５２号公報
【発明の開示】
【発明が解決しようとする課題】
【０００３】
しかしながら、上記の特許文献の場合ベッドとデスクがベッドの長さと幅を有する大きさの床面スペースの四隅に立てられた４本の支柱からなる枠体の中に組み込まれており、ベッドとデスクの上下位置を組み替えることが不可能である。又、ベッドとデスクが４本の支柱からなる枠体の中に組み込まれていなくて、ベッドとデスクがそれぞれ別体として構成され、同一の床面スペースの上に上下方向に積み重ねられている場合がある。そのような場合でも、ベッドとデスクの上下位置が最初から固定されておりベッドとデスクの上下位置を組み替えて使用することは不可能であった。
【０００４】
従って、本発明の課題は、上下方向に積み重ねられているベッドとデスクにおいて、ベッドとデスクの上下位置を組み替えて使用することができるベッドーデスクコンビネーションを提供することにある。
【課題を解決するための手段】
【０００５】
上記課題を達成するために、請求項１記載の発明のベッドーデスクコンビネーションは長さと幅が等しいベッドユニットとデスクユニットとを上下に連結してなるベッドーデスクコンビネーションであって、該ベッドユニットとデスクユニットの上下連結を組み換え機構とすることにより、該ベッドユニットとデスクユニットの上下位置を少なくとも２通り設定できることを特徴としている。
【０００６】
このような構成によると、ベッドユニットとデスクユニットを上下に連結したベッドーデスクコンビネーションにおいて、該ベッドユニットとデスクユニットの上下連結を組み換え機構とすることにより該ベッドユニットとデスクユニットの上下位置を組み替えて使用することができる。該ベッドユニットとデスクユニットの長さと幅が等しいので、該ベッドユニットとデスクユニットを上下に組み替えてもベッドーデスクコンビネーションの上下方向、長さ方向及び幅方向の寸法を常に同じ大きさに保つことができる。
【０００７】
又、請求項２記載の発明は、請求項１記載のベッドーデスクコンビネーションにおいて前記組み換え機構は、前記ベッドユニットとデスクユニットの上下端部に設けられた連結手段を備えることを特徴としている。
【０００８】
このような構成によると、前記組み換え機構が前記ベッドユニットとデスクユニットの上下端部に設けられた連結手段を備えているため、該連結手段を用いることにより前記ベッドユニットとデスクユニットの上下の連結を容易に行うことができる。
【０００９】
又、請求項３記載の発明のベッドーデスクコンビネーションは、幅方向及び長さ方向に互いに隔てられて立設され、ベッド脚をなす４本の第１縦部材と、幅方向に隔てられた前記第１縦部材同士を連結する第１横部材と、長さ方向に隔てられた前記第１縦部材同士を連結する第１側部材と、前記第１横部材と前記第１縦部材とで囲まれる四辺形の面内に設けられる床部材と、を有するベッドユニットと、幅方向及び長さ方向に互いに隔てられて立設され、デスク脚をなす４本の第２縦部材と、幅方向に隔てられた前記第２縦部材同士を連結する部材であって、前記第１横部材と同じ長さを有する第２横部材と、長さ方向に隔てられた前記第２縦部材同士を連結する少なくとも１つの部材であって、前記第１側部材と同じ長さを有する第２側部材と、前記第２縦部材の端部同士で形成される四辺形の面内に設けられる天板と、を有するデスクユニットと、該ベッドユニットの前記第１縦部材と該デスクユニットの前記第２縦部材の上下端部を組み替え可能に連結する連結手段を備えたことを特徴としている。
【００１０】
このような構成によると、前記第１縦部材、前記第１横部材、前記第１側部材及び前記床部材を用いて前記ベッドユニットを形成し、前記第２縦部材、前記第２横部材、前記第２側部材及び前記天板を用いて前記デスクユニットを形成し、更に、前記連結手段を用いて前記ベッドユニットと前記デスクユニットとを上下に連結しベッドーデスクコンビネーションを形成することができる。前記ベッドユニットが前記デスクユニットの上に連結された場合は、前記ベッドユニットを従来のロフトベッドとして使用することができる。前記ベッドユニットと前記デスクユニットの上下を組み替え、前記デスクユニットが前記ベッドユニットの上に連結された場合は、前記デスクユニットの天板を前記ベッドユニットの天蓋として使用することができるので前記ベッドユニットが天蓋付きベッドとなる。
【００１１】
又、請求項４に記載の発明は、請求項３記載のベッドーデスクコンビネーションにおいて、前記連結手段は、前記第１縦部材及び前記第２縦部材の各上下端面に設けられた穴部と該穴部に嵌入するための棒材とから構成されることを特徴としている。
【００１２】
このような構成によると、前記第１縦部材の下端面と前記第２縦部材の上端面に設けられた該穴部同士を合致させ、該穴部に該棒材を嵌入することにより前記第１縦部材の下端面と前記第２縦部材の上端面とを連結することができる。又、前記第２縦部材の下端面と前記第１縦部材の上端面に設けられた該穴部同士を合致させ、該穴部に該棒材を嵌入することにより、前記第２縦部材の下端面と前記第１縦部材の上端面とを連結することができる。連結手段が穴部と該穴部に嵌入するための棒材とからのみ構成されているため、前記ベッドユニットとデスクユニットとの連結作業あるいは分解作業のための工具が不要であり、且つ連結作業あるいは分解作業を極めて短時間で容易に行うことができる。
【００１３】
又、請求項５に記載の発明は、請求項１又は３記載のベッドーデスクコンビネーションにおいて、前記ベッドユニットに、前記ベッドユニットへの乗降用の梯子が取り付けられていることを特徴としている。
【００１４】
このような構成によると、前記梯子を用いることによって前記ベッドユニットへ容易に乗降することができる。
又、請求項６に記載の発明は、請求項５記載のベッドーデスクコンビネーションにおいて、前記梯子が、折り畳み式であることを特徴としている。
【００１５】
このような構成によると、前記ベッドユニットが前記デスクユニットの上に連結されている場合は、前記梯子を折り畳まずに伸ばした状態で使用し前記ベッドユニットへ容易に乗降することができる。又、前記デスクユニットが前記ベッドユニットの上に連結されている場合は、前記梯子を折り畳んで短縮した状態で使用し前記ベッドユニットへ容易に乗降することができる。
【００１６】
又、請求項７に記載の発明は、請求項１又は３記載のベッドーデスクコンビネーションにおいて、前記デスクユニットの前記天板の下側に、物品の収納手段を設置することができるように前記デスクユニットには該収納手段を取り付けるための取り付け手段を備えていることを特徴としている。
【００１７】
このような構成によると、前記取り付け手段を用いることにより前記デスクユニットの前記天板の下側に物品の収納手段を設置し前記収納手段に物品を収納することができる。
又、請求項８に記載の発明は、請求項７記載のベッドーデスクコンビネーションにおいて、前記ベッドユニットが前記デスクユニットの上に連結される場合、前記収納手段を前記ベッドユニットの前記床部材の下側に設置することができるように前記ベッドユニットには前記収納手段を取り付けるための取り付け手段を備えていることを特徴としている。
【００１８】
このような構成によると、前記取り付け手段を用いることにより前記ベッドユニットが前記デスクユニットの上に連結される場合、前記ベッドユニットの前記床部材の下側に物品の収納手段を設置し前記収納手段に物品を収納することができる。
【００１９】
又、請求項９に記載の発明は、請求項１又は３記載のベッドーデスクコンビネーションにおいて、前記デスクユニットが前記ベッドユニットの上に連結される場合、前記ベッドユニットの前記床部材の下側に部屋を形成するための壁を設置することができるように前記ベッドユニットには前記壁を取り付けるための壁取り付け手段を備えていることを特徴としている。
【００２０】
このような構成によると、壁取り付け手段を用いて前記壁を取り付け、前記ベッドユニットの前記床部材の下側に部屋を形成するための壁を設置することができる。そのような部屋は例えば物品の収納庫、プレイルーム、ペットルームなどとして使用することができる。
【発明を実施するための最良の形態】
【００２１】
以下に、本発明の実施形態を添付図面に基づいて説明する。
[第１実施形態]
図１は、本発明に係るベッドーデスクコンビネーションの第１実施例を示す図である。
【００２２】
図１において、ベッドーデスクコンビネーション１は、ベッドユニット１１、デスクユニット１３、梯子１５、シェルフユニット１６、照明装置１７などから構成されている。
図１に示すベッドーデスクコンビネーション１では、ベッドユニット１１がデスクユニット１３の上に連結されている。ベッドユニット１１はいわゆる従来のロフトベッドとして使用することができ、ベッドユニット１１への乗降は梯子１５によって行われる。デスクユニット１３は、照明装置１７によって照明される。ベッドユニット１１の床部材の下側には物品の収納手段であるシェルフユニット１６が設けられている。又、デスクユニット１３の天板の下側にある足元スペースの両側にワゴン１８及びワゴン１９がそれぞれ配置されている。
【００２３】
図２は、ベッドユニット及びデスクユニットを示す図である。
図２（ａ）に示すベッドユニット１１は、長さ方向に予め定める間隔をあけて２個対向して立設された第１枠体１１０と、第１枠体１１０の両側端部で対向する２個の第１枠体１１０同士を長さ方向に連結する２個の第１側部材１１５と、第１側部材１１５の下方に設けられ、対向する第１枠体１１０の片側端部同士を長さ方向に連結する第１補助側部１１６とから構成される。
【００２４】
第１枠体１１０は、幅方向に予め定める間隔をあけて設けられた２個の第１縦部材１１１と、２個の第１縦部材１１１同士をその上下２箇所で幅方向に連結する第１横部材１１３、１１４とから構成される。
【００２５】
第１側部材１１５と第１横部材１１３とで囲まれる四辺形の面内には、図５に示す床部材１１７が設けられている。また、第１横部材１１５の内側には図１に示すように照明装置１７が取り付けられている。第１枠体１１０、第１側部材１１５、１１６は木製又は金属製とすることができる。
【００２６】
図５に示す床部材１１７には、四辺形の外枠の中に複数の補強用の桟１１７ａが配設され、外枠の両面はウレタン樹脂及び布地１１７ｂで覆われている。外枠や桟１１７ａは、木製又は金属製とすることができる。
【００２７】
図２（ｂ）に示すデスクユニット１３は、長さ方向に予め定める間隔をあけて２個対向して立設された第２枠体１３０と、第２枠体１３０の片側端部で対向する２個の第２枠体１３０同士を長さ方向に連結する第２側部材１３５とから構成される。
【００２８】
第２枠体１３０は、幅方向に予め定める間隔をあけて設けられた２個の第２縦部材１３１と、２個の第２縦部材１３１同士をその上下２箇所で幅方向に連結する第２横部材１３３、１３４とから構成される。第２縦部材１３１の端部同士で形成される四辺形の面内には天板１３７が設けられている。第２枠体１３０、第２側部材１３５、天板１３７は木製又は金属製とすることができる。
【００２９】
図３は、ベッドユニットの構造を示す図である。
図３に示すベッドユニット１１の第１縦部材１１１の上下両端面には連結手段を構成する円形の穴部１１１ａが設けられている。穴部１１１ａの寸法は、例えば、直径が１２ｍｍ、深さが４５ｍｍ程度である。又、図３（ａ）に示すように、第１枠体１１０の上面には長方形の凹部１１８が設けられている。凹部１１８は、ベッドユニット１１がデスクユニット１３の上に連結されるベッドーデスクコンビネーション１の場合に例えば書籍などの収納部として使用することができる。更に、図３（ｂ）に示す第１横部材１１３の内側の縦面には、シェルフユニット１６の取り付け手段としてのねじ部（図示なし）が設けられている。
【００３０】
図４は、デスクユニットの構造を示す図である。
図４に示すデスクユニット１３の第２縦部材１３１の上下両端面には連結手段を構成する円形の穴部１３１ａが設けられている。穴部１１１ａの寸法は、例えば、直径が１２ｍｍ、深さが４５ｍｍ程度である。
【００３１】
このように連結手段を構成する図３の第１縦部材１１１の穴部１１１ａが第１縦部材１１１の上下両端面即ちベッドユニット１１の上下端部に設けられ、同じく連結手段を構成する図４の第２縦部材１３１の穴部１３１ａが第２縦部材１３１の上下両端面即ちデスクユニット１３の上下端部に設けられているため、ベッドユニット１１とデスクユニット１３との連結がベッドユニット１１とデスクユニット１３の上下端部同士で行われ、容易に連結することができる。
【００３２】
次に、ベッドーデスクコンビネーション１の組付け状況を図６に示す。ベッドユニット１１をデスクユニット１３の上に連結するには、最初にデスクユニット１３の第２縦部材１３１の上端部に設けられた穴部１３１ａに連結手段を構成する棒材１１９を挿入する。棒材１１９は丸棒でその寸法は、例えば直径が１２ｍｍ、長さが９０ｍｍ程度である。棒材１１９は、例えば鋼などの金属から作られる。
【００３３】
その状態でベッドユニット１１をデスクユニット１３の上に載置し、ベッドユニット１１の第１縦部材１１１の下端面に設けられた穴部１１１ａにデスクユニット１３の第２縦部材１３１の上端面に設けられた穴部１３１ａに挿入されている棒材１１９を嵌入する。図６のベッドユニット１１とデスクユニット１３との連結部分であるＡ部の詳細を図７に示す。棒材１１９の長さは、前述のように、穴部１１１ａと穴部１３１ａの深さの和にほぼ等しくなるように作られている。
【００３４】
このように穴部１１１ａ、１３１ａ及び棒材１１９で構成される連結手段を用いると、ベッドユニット１１とデスクユニット１３との連結作業を工具を使わずに短時間で容易に行うことができる。なお、分解作業も組付け作業同様に工具を使わずに短時間で容易に行うことができる。 
【００３５】
図８は、梯子を示す図である。
図８に示す梯子１５は、長梯子部１５１と短梯子部１５２とから構成され、長梯子部１５１と短梯子部１５２はヒンジ部１５３周りに折り畳み可能である。梯子を伸ばした場合はネジ１５４で固定することができる。長梯子部１５１の上端にはフック１５５が取り付けられている。梯子１５を使用する場合は、フック１５５をベッドユニット１１の第１側部材１１５に引っ掛けて梯子１５をベッドユニット１１に固定する。梯子１５は金属製又は木製とすることができる。
【００３６】
次に、第１実施例におけるベッドユニット１１とデスクユニット１３を上下方向で組み替えベッドユニット１１の上側にデスクユニット１３を連結する。そのように上下に組み替えられたデスクユニットにカーテンを設け、ベッドユニットの下側に部屋を設けたものが第２実施例である。
【００３７】
図９は、本発明に係るベッドーデスクコンビネーションの第２実施例を示す図である。
図９に示すベッドーデスクコンビネーション２は、ベッドユニット２１、デスクユニット２３、梯子２５、シェルフユニット２６、照明装置２７、カーテンユニット２８及びプレイルームユニット２９などから構成されている。
【００３８】
ベッドーデスクコンビネーション２は、デスクユニット２３がベッドユニット２１の上に連結されている。デスクユニット２３の天板２３７はベッドユニット２１の天蓋として使用することができるのでベッドユニット２１は天蓋付ベッドとなる。ベッドユニット２１への乗降は折り畳まれた梯子２５によって行われる。デスクユニット２３は、照明装置２７によって照明される。照明装置２７は、図９に示すように、デスクユニット２３の天板２３７の下側に取り付けられる。デスクユニット２３には物品の収納手段であるシェルフユニット２６が設けられている。又、デスクユニット２３の天板２３７の下面にはカーテンユニット２８が取り付けられている。
【００３９】
ベッドユニット２１の床部材１１７の下側で、対向する２個の第１枠体１３０と第１側部材１１５とで囲まれたスペースにはプレイルームユニット２９が設けられている。プレイルームユニット２９は、図９に示すように、プレイルームのドア部に相当するカーテン２９１、壁部に相当するカーテン２９２、２９３、２９５、フロア部２９７で構成されている。カーテン２９２は、カーテン２９１と対向する壁部に設けられ窓部のないカーテンである。カーテン２９３は、窓部２９４を備え、カーテン２９５は、窓部２９６を備えている。ドア部に相当するカーテン２９１は上方に巻き上げられた状態を示している。カーテン２９１もカーテン２９３、２９５と同様の窓部を備えている。
【００４０】
カーテン２９１、２９２、２９３、２９５の上端部には、壁取り付け手段である面ファスナが取り付けられている。ベッドユニット２１の第１枠体１３０及び第１側部材１１５の内側面にも壁取り付け手段である面ファスナが設けられている。従って、カーテン２９１、２９２、２９３、２９５に取り付けられた面ファスナをベッドユニット２１の第１枠体１３０及び第１側部材１１５の内側面に設けられた面ファスナに押圧することによりカーテン２９１、２９２、２９３、２９５をベッドユニット２１の第１枠体１３０及び第１側部材１１５の内側面に取り付けることができる。カーテン２９１、２９２、２９３、２９５及びフロア部２９７は布製であるが、発泡樹脂のような比重の小さい樹脂製とすることもできる。なお、樹脂製の場合は一体的に成形された成形品としてもよい。
【００４１】
プレイルームユニット２９は、物品の収納場所、子供の遊び部屋、ペットルームなどとして使用することができる。
次に、ベッドーデスクコンビネーション２の組付け状況を図１０に示す。デスクユニット２３をベッドユニット２１の上に連結するには、最初にベッドユニット２１の第１縦部材１１１の上端部に設けられた穴部１１１ａに棒材１１９を挿入する。
【００４２】
その状態でデスクユニット２３をベッドユニット２１の上に載置し、デスクユニット２３の第２縦部材１１３の下端部に設けられた穴部１１３ａにベッドユニット２１の第１縦部材１１１の上端部に設けられた穴部１１１ａに挿入されている棒材１１９を嵌入する。このように穴部１１１ａ、１３１ａ及び棒材１１９で構成される連結手段を用いると、ベッドユニット２１とデスクユニット２３との連結を工具を使わずに短時間で容易に行うことができる。
【００４３】
図１１は本発明に係るベッドーデスクコンビネーションの第３実施例を示す図である。
図１１に示すように、ベッドユニット３１の下側にデスクユニット３３を交差するように配置して使用することもできる。ベッドユニット３１へは梯子３５を用いて乗降する。デスクユニット３３の下側にはワゴン３８ａ、３８ｂが配置されている。
【００４４】
なお、本実施形態によるベッドーデスクコンビネーションは、使用者の年齢の変化に順応して用いることができる。例えば、幼少期は、下段ベッドユニットの下をプレイルームとし、デスクユニットを上段にセットして天蓋付ベッドとする。学童期、学生期は、ベッドユニットとデスクユニットの上下を組み替えて、下段をデスクユニット、上段をベッドユニットとしてセットし、更に卒業後は、下段のデスクユニットをコンピュータルーム的な使用に供し上段にベッドユニットをセットするか又はベッドユニット、デスクユニット両方を床面に載置するなど使用者の幅広い年齢間に対応することができる。
【００４５】
[第２実施形態]
図１２は、本発明に係るベッドーデスクコンビネーションの第２実施形態を示す図である。図１２に示すベッドーデスクコンビネーション４では、ベッドユニット４１がデスクユニット４３の上に連結されている。ベッドユニット４１は、図１３（ａ）に示すように、フレーム４１０で枠体が形成されている。同様にデスクユニット４３は図１３（ｂ）に示すように、フレーム４３０で枠体が構成されている。フレーム４１０とフレーム４３０は同一のフレームで構成することができる。このように、枠体にユニット化されたフレームを使用しベッドユニット４１のフレーム４１０とデスクユニット４３のフレーム４３０とを統一することにより、ベッドユニット４１とデスクユニット４３の構造が一層簡単になりベッドーデスクコンビネーション４の部品点数を減少させることができる。
【００４６】
図１４は、本発明に係るベッドーデスクコンビネーションの更に別の実施例を示す図である。図１４に示すベッドーデスクコンビネーション５では、デスクユニット５３がベッドユニット５１の上に連結されている。デスクユニット５３は、第２実施形態のデスクユニット４３と同じ構造であり、ベッドユニット５１は、第２実施形態のデスクユニット４１と同じ構造である。
【００４７】
以上、本発明に係る実施形態について説明したが、請求項３記載の連結手段は、穴部１１１ａ、１３１ａ及び棒材１１９が相当する。請求項８記載の収納手段は、シェルフユニット１６が相当する。請求項１０記載の壁取り付け手段は、カーテン２９１、２９２、２９３、２９５の上端部及びベッドユニット２１の第１枠体１１０及び第１側部材１１５の内側面に取り付けられた面ファスナが相当する。
【図面の簡単な説明】
【００４８】
【図１】ベッドーデスクコンビネーションの第１実施例を示す図である。
【図２】ベッドユニット及びデスクユニットを示す図である。
【図３】ベッドユニットの構造を示す図である。
【図４】デスクユニットの構造を示す図である。
【図５】床部材を示す図である。
【図６】ベッドユニット及びデスクユニットの組付け状況を示す図である。
【図７】図６のＡ部詳細を示す図である。
【図８】梯子を示す図である。
【図９】ベッドーデスクコンビネーションの第２実施例を示す図である。
【図１０】デスクユニット及びベッドユニットの組付け状況を示す図である。
【図１１】ベッドーデスクコンビネーションの第３実施例を示す図である。
【図１２】ベッドーデスクコンビネーションの第２実施形態を示す図である。
【図１３】ベッドユニット及びデスクユニットを示す図である。
【図１４】ベッドーデスクコンビネーションの別の実施例を示す図である。
【符号の説明】
【００４９】
１、２、４、５・・・ベッドーデスクコンビネーション、１１、２１、４１、５１・・・ベッドユニット、１３、２３、４３、５３・・・デスクユニット、１５、２５、３・・・梯子、１６、２６、３６・・・シェルフユニット、１７、２７・・・照明装置、２・・・カ−テンユニット、２９・・・プレイルームユニット、１８、１９、３８ａ、３８・・・ワゴン、１１０・・・第１枠体、１１１・・・第１縦部材、１１１ａ・・・穴部、１１３、１１４・・・第１横部材、１１５・・・第１側部材、１１６・・・第１補助側部材、１１７・・・床部材、１１７ａ・・・桟、１１７ｂ・・・ウレタン樹脂及び布地、１１８・・・凹部、１１９・・・棒材、１３０・・・第２枠体、１３１・・・第２縦部材、１３１ａ・・・穴部、１３３、１３４・・・第２横部材、１３５・・・第２側部材、１３７、２３７・・・天板、１５１・・・長梯子部、１５２・・・短梯子部、１５３・・・ヒンジ部、１５４・・・ネジ、１５５・・・フック、２９１、２９２、２９３、２９５・・・カーテン、２９４、２９６・・・窓部、２９７・・・フロア部、４１０、４３０・・・フレーム
【図１】
2005124742.tif 000003
【図２】
2005124742.tif 000004
【図３】
2005124742.tif 000005
【図４】
2005124742.tif 000006
【図５】
2005124742.tif 000007
【図６】
2005124742.tif 000008
【図７】
2005124742.tif 000009
【図８】
2005124742.tif 000010
【図９】
2005124742.tif 000011
【図１０】
2005124742.tif 000012
【図１１】
2005124742.tif 000013
【図１２】
2005124742.tif 000014
【図１３】
2005124742.tif 000015
【図１４】
2005124742.tif 000016